(57)【要約】【課題】  用紙搬送路の途中で用紙が詰まったときに、詰まった用紙を破損させることなく容易に取り出すことができる良好な搬送路開閉機構を提供する。【解決手段】  搬送路開閉機構におけるローラ開閉機構５０は、搬送路開閉ブロックの開閉動作に連動して回動する第１の回動フレーム５３と、押えローラ１６ｂを進退可能に保持する第１のローラ保持部材５５と第１の回動フレーム５３との間に介装されて押えローラ１６ｂを送りローラに向かって弾性付勢する第１のローラ付勢ばね５７と、一対の押えローラ１７ｂ，１７ｂを保持する第２のローラ保持部材４１が一方の回動端５９ａに設けられた第２の回動フレーム５９と、第１の回動フレーム５３の他方の回動端５３ｆと第２の回動フレーム５９の他方の回動端５９ｆとの間に介装されて押えローラ１７ｂを送りローラに向かって弾性付勢する第２のローラ付勢ばね６１と、を備えている。【選択図】    図６
2005324916.tif 000002
【特許請求の範囲】
【請求項１】
回転駆動される送りローラと該送りローラに用紙を押圧する押えローラとをそれぞれ備え、前記用紙を搬送する用紙搬送路上に配置された第１及び第２の用紙搬送ローラと、前記用紙搬送路の一部を開閉可能にした搬送路開閉ブロックと、前記搬送路開閉ブロックの開閉動作に連動して前記第１及び第２の用紙搬送ローラの各押えローラを対応する各送りローラから離間する方向に進退動させるローラ開閉機構と、を備えた搬送路開閉機構であって、
前記ローラ開閉機構が、
前記搬送路開閉ブロックの開閉動作に連動して回動する第１の回動フレームと、
前記第１の回動フレームの一方の回動端にスライド可能に設けられ、前記第１の用紙搬送ローラの送りローラに向かって押えローラを進退可能に保持する第１のローラ保持部材と、
前記第１の回動フレームと前記第１のローラ保持部材との間に介装され、前記第１のローラ保持部材に保持された押えローラを前記第１の用紙搬送ローラの送りローラに向かって弾性付勢する第１のローラ付勢ばねと、
前記第２の用紙搬送ローラの送りローラに対応する押えローラを保持する第２のローラ保持部材と、
前記第２のローラ保持部材が一方の回動端に設けられた第２の回動フレームと、
前記第１の回動フレームの他方の回動端と前記第２の回動フレームの他方の回動端との間に介装され、前記第１の回動フレームの回動動作に連動して前記第２の回動フレームを回動させると共に、前記第２のローラ保持部材に保持された押えローラを前記第２の用紙搬送ローラの送りローラに向かって弾性付勢する第２のローラ付勢ばねと、
を備えたことを特徴とする搬送路開閉機構。
【請求項２】
前記搬送路開閉ブロックは、一端が前記第１の回動フレームの回動中心軸と平行な回動軸を中心として本体フレームに開閉自在に取り付けられており、閉じている時に前記第１の回動フレームの一方の回動端側に係合し、開いた時に前記第１の回動フレームから離れる係合部を備えることを特徴とする請求項１に記載の搬送路開閉機構。
【請求項３】
前記第２の回動フレームの回動中心軸が、前記第１の回動フレームの回動中心軸に対して交差することを特徴とする請求項１又は請求項２に記載の搬送路開閉機構。
【請求項４】
前記用紙搬送路が２つの曲線部により略Ｕ字形に形成されると共に、前記第１及び第２の用紙搬送ローラが前記用紙搬送路上の下流側の曲線部を挟んで配置されており、前記搬送路開閉ブロックが前記第１の用紙搬送ローラと隣接する上流側に設けられていることを特徴とする請求項１乃至請求項３のいずれかに記載の搬送路開閉機構。
【請求項５】
請求項１乃至請求項４のいずれかに記載の搬送路開閉機構を備えた情報処理装置。
【発明の詳細な説明】
【技術分野】
【０００１】
本発明は、用紙搬送路に沿って小切手等の用紙を搬送しながら、該用紙に記録された情報を読み取り又は用紙上に情報を記録する情報処理装置等において、用紙搬送路の途中で前記用紙が詰まったときに、詰まった用紙を容易に取り出すことができる搬送路開閉機構に関する。
【背景技術】
【０００２】
銀行等における小切手の処理作業の効率化のため、小切手に記載された情報を読み取ってオンラインで処理する試みが始められている。このため、最近、小切手のような折り曲げることが可能な用紙をＵ字形の搬送路（用紙搬送路）上に搬送させながら、画像読取部やＭＩＣＲ（磁気文字読取部）等の情報読取部でその用紙上の情報を読み取ったり、記録部で用紙上に情報を記録したりする情報処理装置の使用が検討されている（例えば、特許文献１参照）。
【０００３】
Ｕ字形の搬送路を用いる場合には、用紙搬送路の入口と出口を隣接させることができるので、作業者が席を立つことなく、容易に用紙を画像読取装置に挿入して取り出すことができるという利点がある。
また、Ｕ字形の搬送路にすることにより、短いスパンに長い搬送距離を確保することができ、用紙搬送路に沿って情報読取部や情報書き込み部等の各種の情報処理手段を配置して装置の複合化を可能にしつつ、装置全体を小型化することが可能になる。
【０００４】
図９は、Ｕ字形の搬送路を有する画像読み取り装置の一例を示す斜視図である。
この画像読取装置１０１は、Ｕ字形の搬送路１０３を有している。搬送路１０３には、スキャナ等の画像読取部が設けられた画像読取領域１０４が設けられている。
小切手等の被読取媒体（用紙）１０２が搬送路１０３上を搬送され、画像読取領域１０４を通過すると、図示せぬ画像読取部によって、被読取媒体１０２の表面に記録されている画像が読み取られる。図示していないが、搬送路１０３には、被読取媒体１０２を搬送する複数個の用紙搬送ローラが、被読取媒体１０２の長さに応じた適宜間隔で、装備されている。
【０００５】
【特許文献１】特開２０００−３４４４２８号公報
【発明の開示】
【発明が解決しようとする課題】
【０００６】
ところで、図９に示した画像読取装置１０１に組み込まれる画像読取部は、搬送される被読取媒体１０２のうち、最大の高さを有する被読取媒体１０２の高さ寸法（幅寸法）Ｋの全範囲を読取可能にしておく必要がある。そのため、画像読取部の高さは、被読取媒体１０２の高さ寸法Ｋよりも大きいものとなる。
また、画像読取部の読取面と対向する位置には、被読取媒体１０２を画像読取部の読取面に押し付ける押し付け手段を装備する必要があり、この押し付け手段の高さ寸法も、被読取媒体１０２の高さ寸法Ｋよりも大きくしなければならない。
【０００７】
即ち、図９に示したように、画像読取領域１０４は、搬送される被読取媒体１０２の高さ寸法Ｋよりも大きな高さを持つと共に搬送路１０３を挟んで対向配置される一対の搬送壁１０４ａ，１０４ｂの対向面に、画像読取部の読取面と押し付け手段とを対向配置した構造となる。
【０００８】
従って、もし、この画像読取領域１０４において、搬送される被読取媒体１０２の紙詰まりが発生した場合には、詰まった被読取媒体１０２が一対の搬送壁１０４ａ，１０４ｂ間に隠れてしまって、外部からは被読取媒体１０２に触れることができないため、詰まった被読取媒体１０２を取り除く作業が非常に困難になる。例えば、詰まった被読取媒体１０２の除去のために、画像読取領域１０４を分解修理できる専用の保守作業員を呼ばなければならなくなる場合も生じる。
【０００９】
また、搬送路１０３に沿って被読取媒体１０２を搬送する用紙搬送ローラは、通常、回転駆動される送りローラと該送りローラに被読取媒体１０２を押圧する押えローラとを備えた構成であり、これら一対のローラによる挟持力が強いため、紙詰まりした時に、用紙搬送ローラに挟持されている被読取媒体１０２をそのまま強制的に引き抜くと、被読取媒体１０２が破損する事もあり、被読取媒体１０２として小切手等の有価証券類が処理対象となっていることから、破損の発生を防止するための対策が重要課題となる。
【００１０】
更に、Ｕ字形の搬送路１０３の場合には、搬送路の曲線部分において紙詰まりが発生し易く、しかも、曲線部分では、複数の用紙搬送ローラが接近配置されており、前述したような複数の用紙搬送ローラに挟持された状態での紙詰まりが生じて、紙詰まりの復旧処理が困難になり易いという問題があった。
【００１１】
そこで、本発明の目的は上記課題を解消することに係り、用紙搬送路の途中で用紙が詰まったときに、詰まった用紙を破損させることなく容易に取り出すことができる良好な搬送路開閉機構を提供することである。
【課題を解決するための手段】
【００１２】
本発明の上記目的は、回転駆動される送りローラと該送りローラに用紙を押圧する押えローラとをそれぞれ備え、前記用紙を搬送する用紙搬送路上に配置された第１及び第２の用紙搬送ローラと、前記用紙搬送路の一部を開閉可能にした搬送路開閉ブロックと、前記搬送路開閉ブロックの開閉動作に連動して前記第１及び第２の用紙搬送ローラの各押えローラを対応する各送りローラから離間する方向に進退動させるローラ開閉機構と、を備えた搬送路開閉機構であって、前記ローラ開閉機構が、前記搬送路開閉ブロックの開閉動作に連動して回動する第１の回動フレームと、前記第１の回動フレームの一方の回動端にスライド可能に設けられ、前記第１の用紙搬送ローラの送りローラに向かって押えローラを進退可能に保持する第１のローラ保持部材と、前記第１の回動フレームと前記第１のローラ保持部材との間に介装され、前記第１のローラ保持部材に保持された押えローラを前記第１の用紙搬送ローラの送りローラに向かって弾性付勢する第１のローラ付勢ばねと、前記第２の用紙搬送ローラの送りローラに対応する押えローラを保持する第２のローラ保持部材と、前記第２のローラ保持部材が一方の回動端に設けられた第２の回動フレームと、前記第１の回動フレームの他方の回動端と前記第２の回動フレームの他方の回動端との間に介装され、前記第１の回動フレームの回動動作に連動して前記第２の回動フレームを回動させると共に、前記第２のローラ保持部材に保持された押えローラを前記第２の用紙搬送ローラの送りローラに向かって弾性付勢する第２のローラ付勢ばねとを備えたことを特徴とする搬送路開閉機構により達成される。
【００１３】
上記構成によれば、搬送路開閉ブロックを開くことで、紙詰まりしている用紙の一部又は全部を、外部からアクセス可能な露呈状態にすることができる。
そして、紙詰まりした用紙の一部がその周辺の第１及び第２の用紙搬送ローラに挟持されていても、搬送路開閉ブロックの開放操作によって紙詰まり部を露呈させた際に、搬送路開閉ブロックの開放動作に連動するローラ開閉機構によって、その周辺の第１及び第２の用紙搬送ローラにおける各押えローラが送りローラから離間する方向に退避して、挟持力が解除又は低減される。
【００１４】
従って、紙詰まりを起こした用紙は、その周辺の第１及び第２の用紙搬送ローラからの挟持を解除された状態で露出した状態になり、小さな操作力でも搬送路から簡単に取り外して紙詰まりを解消することができる。そこで、取り外し時に用紙の一部に無理な挟持力が作用して用紙を破損することもない。
【００１５】
また、紙詰まりの解消後に搬送路開閉ブロックを閉じた状態に戻すと、搬送路開閉ブロックの閉操作に連動するローラ開閉機構が、第１及び第２の用紙搬送ローラにおける各押えローラを送りローラに向かって弾性付勢し、用紙をこれら送りローラと押えローラとで挟持搬送可能な状態に第１及び第２の用紙搬送ローラを戻す。
従って、紙詰まりの解消後の、搬送路の復帰処理も簡単に済ませることができ、紙詰まりの発生から復旧までの所要時間を短縮することができる。
【００１６】
また、紙詰まり時に用紙の挟持を解除させるために必要となる第１及び第２の用紙搬送ローラの各押えローラの送りローラから離脱する方向への進退移動は、各押えローラを取り付けた第１及び第２の回動フレームの回動動作によって達成される。
そこで、直線移動機構によって各押えローラを進退移動させる場合と比較すると、簡単な部品構成で高精度に各押えローラの位置決め精度を維持でき、各押えローラを送りローラに向かって弾性付勢する第１及び第２のローラ付勢ばねの押圧力調整も容易となる。
【００１７】
更に、第１の回動フレームの他方の回動端と第２の回動フレームの他方の回動端との間に第２のローラ付勢ばねを介装し、第１の回動フレームの回動動作に連動して第２の回動フレームを回動させると共に、該第２のローラ付勢ばねによって第２のローラ保持部材に保持された押えローラを第２の用紙搬送ローラの送りローラに向かって弾性付勢する構成としたので、第１及び第２の用紙搬送ローラが用紙搬送路上の曲線部を挟んで配置されている場合に好適である。
【００１８】
即ち、搬送路開閉ブロックの開閉動作に連動して回動する第１の回動フレームによって第２の回動フレームを回動させることにより、搬送路開閉ブロックと離れており、開閉方向に対して弾性付勢方向がずれているにも関わらず、第２の用紙搬送ローラの押えローラを送りローラから離間する方向に退避させて、挟持力を解除又は低減させることができる。
【００１９】
尚、前記搬送路開閉ブロックは、一端が前記第１の回動フレームの回動中心軸と平行な回動軸を中心として本体フレームに開閉自在に取り付けられており、閉じている時に前記第１の回動フレームの一方の回動端側に係合し、開いた時に前記第１の回動フレームから離れる係合部を備えることが望ましい。
この場合、搬送路開閉ブロックは、一端の回動軸を中心として開閉自在であるので、熟練を要することなく容易に搬送路の一部を開閉することができる。
【００２０】
又、前記第２の回動フレームの回動中心軸が、前記第１の回動フレームの回動中心軸に対して交差することにより、第１の用紙搬送ローラの押えローラと第２の用紙搬送ローラの押えローラとの弾性付勢方向や付勢位置が異なる場合にも、各送りローラに対してそれぞれの押えローラにより適正な弾性付勢力を作用させることができる。
【００２１】
更に、前記用紙搬送路が２つの曲線部により略Ｕ字形に形成されると共に、前記第１及び第２の用紙搬送ローラが前記用紙搬送路上の下流側の曲線部を挟んで配置されており、前記搬送路開閉ブロックが前記第１の用紙搬送ローラと隣接する上流側に設けられていることが望ましい。
この場合、搬送路開閉ブロックを開いた時に露呈状態とならない第２の用紙搬送ローラの周辺に用紙が紙詰まりした際にも、紙詰まりしている用紙の後端部が第１の用紙搬送ローラの周辺に露呈状態となって外部からアクセス可能となるので、用紙を容易に取り出すことができる。
【００２２】
又、上述した搬送路開閉機構を備えた情報処理装置によれば、用紙搬送路の途中で用紙が詰まったときにも、詰まった用紙を破損させることなく容易に取り出すことができると共に、紙詰まりの発生から復旧までの所要時間を短縮することができ、効率的に情報処理を行うことができる。
【発明の効果】
【００２３】
本発明の搬送路開閉機構によれば、用紙搬送路における搬送壁の高い場所や曲線部等、用紙が取り出し難い場所において紙詰まりが発生しても、搬送路開閉ブロックの開放操作によって紙詰まり部を露呈させるだけで、その周辺の第１及び第２の用紙搬送ローラにおける挟持力が解除又は低減されるので、小さな操作力でも搬送路から用紙を簡単に取り出すことができる。又、紙詰まりの解消後に搬送路開閉ブロックを閉じた状態に戻すだけで、用紙を送りローラと押えローラとで挟持搬送可能な状態に各用紙搬送ローラを簡単に戻すことができる。
従って、用紙搬送路の途中で用紙が詰まったときに、詰まった用紙を破損させることなく容易に取り出すことができる良好な搬送路開閉機構を提供できる。
【発明を実施するための最良の形態】
【００２４】
以下、添付図面に基づいて本発明の一実施形態に係る搬送路開閉機構を詳細に説明する。
図１は本発明の一実施形態に係る搬送路開閉機構を備えた情報処理装置の外観斜視図、図２（ａ）は図１に示した情報処理装置の用紙搬送路及び用紙搬送路周辺に設けられる各部を模式的に表した平面図、図２（ｂ）は図２（ａ）のＡ−Ａ断面矢視図である。
【００２５】
図１に示した情報処理装置１０は、小切手又は伝票等の被処理媒体（用紙）９０を挿入する挿入部１１と、挿入された被処理媒体９０を搬送するべく２つの曲線部により略Ｕ字形に形成されたＵ字形搬送路（用紙搬送路）１２と、読み取り等の処理を終えた被処理媒体９０を排出する排出口１４とを備えている。また、Ｕ字形搬送路１２には、該Ｕ字形搬送路１２の一部を開閉可能にした搬送路開閉ブロック３０を備えている。
【００２６】
図１及び図２（ａ）に示すように、本実施形態の情報処理装置１０は、折り曲げることが可能な材質からなる小切手等の被処理媒体９０を搬送するＵ字形搬送路１２と、折り曲げることができない材質からなるＩＤカードや免許証等の被処理媒体９１を搬送する直線状搬送路１３とを有している。
前記直線状搬送路１３は、Ｕ字形搬送路１２の２つの曲線部間の直線部分を共有するように設けられている。前記被処理媒体９１の高さ寸法は、被処理媒体９０の高さ寸法よりも小さく、Ｕ字形搬送路１２との共有部分では、Ｕ字形搬送路１２の上部側の領域を搬送される。
【００２７】
情報処理装置１０のＵ字形搬送路１２上には、挿入部１１側から順に、用紙検出器２１、用紙搬送ローラ１５、磁石２３、ＣＩＳ（コンタクト・イメージ・センサ）等からなる２つの画像読取部２４，２６、これら画像読取部２４，２６に被処理媒体９０を押し付ける押付ローラ２５及び押付装置２７、用紙搬送ローラ（第１の用紙搬送ローラ）１６、用紙搬送ローラ１６の下に設けられたＭＩＣＲヘッド（磁気文字読取ヘッド）２８、用紙搬送ローラ（第２の用紙搬送ローラ）１７、被処理媒体９０を排出口１４に送るための用紙搬送ローラ１８等が設けられている。
【００２８】
２個の画像読取部２４，２６は、Ｕ字形搬送路１２を挟んで互いに反対側に配置されており、一方は被処理媒体９０，９１の表面の画像の読み取りを行い、他方は被処理媒体９０，９１の裏面の画像の読み取りを行うことができる。
図２（ａ）においては、説明を簡単にするため、用紙搬送ローラ１５，１６，１７，１８の４つしか示していないが、挿入部１１近くに被処理媒体９０をＵ字形搬送路１２内に取り込むためのフィードローラを設けた構成としてもよい。
また、被処理媒体９０の表面及び裏面に対して情報の書き込みができるように、ＭＩＣＲヘッド２８と排出口１４との間の搬送路１２上に印刷装置を設けることも可能である。      
【００２９】
上記Ｕ字形搬送路１２について、更に詳細に説明する。
図２（ｂ）に示すように、Ｕ字形搬送路１２は、搬送される被処理媒体９０を両側からガイドする搬送壁１２ａ，１２ｂを備えている（以下、Ｕ字形搬送路１２の内周側の搬送壁を内側搬送壁１２ａと称し、外周側の搬送壁を外側搬送壁１２ｂと称する）。この２つの搬送壁１２ａ，１２ｂ間の搬送空間がＵ字形搬送路１２であり、この空間（搬送路）内を、被処理媒体９０が搬送される。
【００３０】
Ｕ字形搬送路１２において、挿入部１１から上流側の曲線部手前の用紙搬送ローラ１５に到達するまでの直線状の範囲と、用紙搬送ローラ１７から排出口１４に到達するまでの直線状の範囲とでは、図２（ｂ）に示したように、用紙搬送路を形成している内側搬送壁１２ａと外側搬送壁１２ｂの高さが被処理媒体９０の高さ寸法Ｋよりも低く設定されている。
そのため、挿入部１１及び排出口１４近くのＵ字形搬送路１２上では、被処理媒体９０の上部がＵ字形搬送路１２から突出した状態で搬送が行われる。従って、仮に、これらの搬送領域で紙詰まりが発生しても、被処理媒体９０の取り除き作業は、比較的に容易である。
【００３１】
挿入部１１に挿入された被処理媒体９０が用紙検出器２１に検知されると、図示しない搬送ローラ又はフィードローラ等により被処理媒体９０がＵ字形搬送路１２内に引き込まれ、用紙搬送ローラ１５〜１８によりＵ字形搬送路１２内を所定の速度で順次搬送される。
これら用紙搬送ローラ１５〜１８は、Ｕ字形搬送路１２の内周側に配置されて図示略の駆動源（モータ）によって回転駆動される送りローラ１５ａ〜１８ａと、Ｕ字形搬送路１２の外周側に配置されて被処理媒体９０を送りローラ１５ａ〜１８ａに押圧する押えローラ１５ｂ〜１８ｂとをそれぞれ備えた構成であり、送りローラ１５ａ〜１８ａと押えローラ１５ｂ〜１８ｂとで挟持した被処理媒体９０を送りローラ送りローラ１５ａ〜１８ａの回転方向に送り出す。
【００３２】
そして、Ｕ字形搬送路１２内を搬送される被処理媒体９０が、第１の画像読取部２４の前に設けられた用紙検出器２２に検出されると、その検出信号をトリガとして、被処理媒体９０が第１の画像読取部２４、第２の画像読取部２６、ＭＩＣＲヘッド２８を通過するタイミングで各読取処理が実行される。
被処理媒体９０が小切手等で、磁気インク文字による記録情報がある場合には、搬送時に、その磁気インク文字が用紙搬送ローラ１５の下流側に配置された磁石２３によって磁化されることで、ＭＩＣＲヘッド２８による読み取りが可能になる。
【００３３】
以上のようにして、挿入部１１からＵ字形搬送路１２に挿入された被処理媒体９０は、搬送されながら、第１の画像読取部２４と第２の画像読取部２６により、その両面の画像が読み取られる。又、磁気インク文字を有する被処理媒体９０は、ＭＩＣＲヘッド２８により磁気インクの情報が読み取られ、１８０度搬送方向を変えて排出口１４から排出される。
【００３４】
次に、第１及び第２の画像読取部２４，２６における画像情報の読み取り処理について、更に詳しく説明する。
第１の画像読取部２４は、読取面をＵ字形搬送路１２側に向けた状態で、外側搬送壁１２ｂ側に設置されている。Ｕ字形搬送路１２を挟んで第１の画像読取部２４と対向する位置の内側搬送壁１２ａ側には、押付ローラ２５が設置されている。搬送される被処理媒体９０は、押付ローラ２５によって第１の画像読取部２４の読取面に押し付けられる。これにより、被処理媒体９０が第１の画像読取部２４を通過するときに、被処理媒体９０の一方の面の画像が読み取られる。
【００３５】
第２の画像読取部２６は、読取面を搬送路１２側に向けた状態で、第１の画像読取部２４の下流の内側搬送壁１２ａ側に設置されている。Ｕ字形搬送路１２を挟んで第２の画像読取部２４と対向する位置の外側搬送壁１２ｂ側には、押付装置２７が設けられている。押付装置２７の先端部には、押付ローラ２７ａが設けられており、押付ローラ２７ａによりＵ字形搬送路１２を通過する被処理媒体９０が第２の画像読取部２６の読取面に押し付けられる。これにより、被処理媒体９０が第２の画像読取部２６を通過するときに、被処理媒体９０の他方の面の画像が読み取られる。
【００３６】
これら第１及び第２の画像読取部２４，２６を配置して画像情報の読み取りを行う画像読取領域では、被処理媒体９０の全体の画像を読み取る為、この位置においてＵ字形搬送路１２を形成する第１及び第２の画像読取部２４，２６の読取面の高さと、内側搬送壁１２ａ及び外側搬送壁１２ｂの高さは、被処理媒体９０の高さ寸法（幅寸法）Ｋよりも高くなる（図１参照）。
【００３７】
そのため、この画像読取領域を搬送中の被処理媒体９０は、両面が完全に内側搬送壁１２ａ及び外側搬送壁１２ｂによって覆われてしまって、Ｕ字形搬送路１２内に隠れた状態になる。
従って、この画像読取領域で紙詰まりが発生した場合には、詰まった被処理媒体９０に触れることができず、そのままでは紙詰まりの解消はできない。
そこで、実施形態の情報処理装置１０では、後述する搬送路開閉機構７０を設けることで、詰まった被処理媒体９０を容易に取り除けるようにしている。
【００３８】
次に、ＩＤカード、免許証等の被処理媒体９１の直線状搬送路１３による搬送処理について説明する。
図１に示すように、情報処理装置１０の右側には、直線状搬送路１３に被処理媒体９１を挿入するためのカード挿入口１３ａが装備されている。
カード挿入口１３ａの内側付近には、被処理媒体９１の挿入を検知する検知センサ（図示略）が装備されており、カード挿入口１３ａに被処理媒体９１が挿入されてこの検知センサによって検出されると、その検出信号がトリガとなって用紙搬送ローラ１６及び直線搬送ローラ１９等が回転を始める。この直線搬送ローラ１９は、他の搬送ローラと同様に、図示略の駆動源（モータ）によって回転駆動される送りローラ１９ａと押えローラ１９ｂとから構成される（図２（ａ）参照）。
【００３９】
被処理媒体９１は、用紙搬送ローラ１６の送りローラ１６ａ及び押圧ローラ１６ｃによって搬送され、Ｕ字形搬送路１２へ送られる。そして、直線搬送ローラ１９の送りローラ１９ａと押えローラ１９ｂに挟み込まれて搬送された被処理媒体９１の後端が、第１の画像読取部２４から外れる位置に達するまで搬送されて、そこで停止する。その後、被処理媒体９１は逆向きに搬送されて、第１の画像読取部２４と第２の画像読取部２６を通過するときに、両面の画像が読み取られ、挿入されたカード挿入口１３ａから外部に排出される。
【００４０】
本実施形態の情報処理装置１０では、第１及び第２の画像読取部２４，２６とＵ字形搬送路１２の一部とを、被処理媒体９１の画像の読み取りのために共用することにより、画像読取部を効率的に利用している。
ＩＤカード等の被処理媒体９１の高さは、小切手等の被処理媒体９０の高さよりも低いため、Ｕ字形搬送路１２の上半分のみが使用される。
【００４１】
更に、本実施形態の情報処理装置１０の場合、第１及び第２画像読取部２４，２６やＭＩＣＲヘッド２８を配置した画像読取領域での紙詰まりを容易に解消し得るように、上記搬送路開閉ブロック３０と、該搬送路開閉ブロック３０の開閉動作に連動するローラ開閉機構５０と、を備えた搬送路開閉機構７０が構成されている。
本実施形態の搬送路開閉ブロック３０は、Ｕ字形搬送路１２の外側搬送壁１２ｂとして機能するブロック本体３１の内側に、前記第１の画像読取部２４及び押付装置２７を組み付けた構成である。
【００４２】
前記搬送路開閉ブロック３０のブロック本体３１は、図３及び図４に示すように、下端部が情報処理装置１０における本体フレーム３３のブロック支持部３４に支持ピン３５を介して回動自在に連結されており、図３に矢印Ｄで示すように、回動軸である支持ピン３５を中心として、外側に開閉可能に取り付けられている。
【００４３】
ブロック本体３１の外面側の上部には、搬送路開閉ブロック３０を開く際に掴む取っ手３６が設けられている。この取っ手３６を手前に引くと、取っ手３６の両端に装備されている係止フック３８が支軸３７を回転中心として回動して、係止フック３８の先端の係止部３８ａが本体フレーム３３に突設されている係止ピン３９から外れる。
この係止フック３８と係止ピン３９との係合が外れることによって、搬送路開閉ブロック３０は矢印Ｄ方向に開くことが可能になる。
【００４４】
係止フック３８は、係止ピン３９との係合方向に図示せぬばね部材によって付勢されており、図３に示すように搬送路開閉ブロック３０を閉じた状態では、ばね部材による付勢力で係止フック３８が係止ピン３９に係合した状態にロックされており、不用意に搬送路開閉ブロック３０が開いてしまうことは無い。
【００４５】
前記ローラ開閉機構５０は、上記搬送路開閉ブロック３０の開閉動作に連動して前記用紙搬送ローラ１６及び前記用紙搬送ローラ１７の各押えローラ１６ｂ，１７ｂを対応する各送りローラ１６ａ，１７ａから離間する方向に進退動させるものである。
以下、図５乃至図８に基づいて、上記ローラ開閉機構５０について詳細に説明する。
【００４６】
本実施の形態のローラ開閉機構５０は、図５及び図６に示すように、前記搬送路開閉ブロック３０の開閉動作に連動して回動する第１の回動フレーム５３と、第１の回動フレーム５３の一方の回動端５３ａにスライド可能に設けられ、前記用紙搬送ローラ１６の送りローラ１６ａに向かって押えローラ１６ｂを進退可能に保持する第１のローラ保持部材５５と、第１の回動フレーム５３と第１のローラ保持部材５５との間に介装され、第１のローラ保持部材５５に保持された押えローラ１６ｂを用紙搬送ローラ１６の送りローラ１６ａに向かって弾性付勢する第１のローラ付勢ばね５７と、用紙搬送ローラ１７の送りローラ１７ａに対応する一対の押えローラ１７ｂ，１７ｂを保持する第２のローラ保持部材４１と、第２のローラ保持部材４１が一方の回動端５９ａに設けられた第２の回動フレーム５９と、第１の回動フレーム５３の他方の回動端５３ｆと第２の回動フレーム５９の他方の回動端５９ｆとの間に介装され、第１の回動フレーム５３の回動動作に連動して第２の回動フレーム５９を回動させると共に、第２のローラ保持部材４１に保持された押えローラ１７ｂを用紙搬送ローラ１７の送りローラ１７ａに向かって弾性付勢する第２のローラ付勢ばね６１と、を備えている。
【００４７】
第１の回動フレーム５３は、中間部に設けた支持孔５３ｇを介して本体フレーム３３の回動軸６３に回動自在に支持されている（図５参照）。第１の回動フレーム５３の本体フレーム３３への取り付けには、更に２本の支持ピン６５，６６も使われているが、これら２本の支持ピン６５，６６は、第１の回動フレーム５３に形成された長穴５３ｂにそれぞれ係合しており、回動軸６３の回動中心軸８１を中心とした回動動作を妨げない。
【００４８】
この第１の回動フレーム５３は、搬送路開閉ブロック３０の開閉に連動して回動軸６３を回動支点として回動することによって、押えローラ１６ｂを設けた一方の回動端５３ａが用紙搬送ローラ１６の送りローラ１６ａに向かって離脱・接近する。
搬送路開閉ブロック３０を開いた状態から閉じた状態に戻す時、搬送路開閉ブロック３０のブロック本体３１に設けた係合部３２は、第１の回動フレーム５３の一方の回動端５３ａ側に設けたフレーム位置決め面５４（図６参照）に係合して、第１の回動フレーム５３を図６の矢印Ｅと逆方向に押圧して、第１の回動フレーム５３を復帰方向に押し戻す。
【００４９】
第１のローラ保持部材５５は、図６に示すように、本体５５ａから先端に延出した一対のアーム部５５ｂ，５５ｂによって、押えローラ１６ｂの中心軸１６ｃを回転自在に支持している。
第１のローラ保持部材５５の本体５５ａには、図５に示すように、本体フレーム３３に形成された嵌合穴３３ａにスライド可能に遊嵌する一対のガイドリブ５５ｃ，５５ｃと、本体フレーム３３の表面に摺接するフランジ５５ｆ、第１の回動フレーム５３の表面に摺接する一対のフランジ５５ｄ，５５ｄとを備えており、押えローラ１６ｂを第１の用紙搬送ローラ１６の送りローラ１６ａに向かってスライド可能に支持している。
【００５０】
本実施形態の場合、第１のローラ付勢ばね５７は圧縮コイルばねであり、図６に示すように、第１の回動フレーム５３に立設されたばね受け５３ｅと第１のローラ保持部材５５のばね受け５５ｅとの間に圧縮状態で介装され、第１のローラ保持部材５５に支持された押えローラ１６ｂを第１のローラ保持部材５５と一体に送りローラ１６ａ側に弾性付勢する。
第２の回動フレーム５９は、図６に示すように、中間部に設けた一対の支持部５９ｂ，５９ｂが図示しない回動軸によって本体フレーム３３側に回動自在に支持されている。第２の回動フレーム５９の回動中心軸７１は、第１の回動フレーム５３の回動中心軸８１に対して交差している。
【００５１】
この第２の回動フレーム５９は、第１の回動フレーム５３の回動に連動して回動中心軸７１を中心に回動することによって、押えローラ１７ｂを設けた一方の回動端５９ａが用紙搬送ローラ１７の送りローラ１７ａに向かって離脱・接近する。
本実施形態の場合、第２のローラ付勢ばね６１は引張りコイルばねであり、図６に示すように、一方の回動端５９ａが用紙搬送ローラ１７の送りローラ１７ａに向かって離脱・接近する第２の回動フレーム５９の回動動作が、一方の回動端５３ａが用紙搬送ローラ１６の送りローラ１６ａに向かって離脱・接近する第１の回動フレーム５３の回動動作に連動するように、第１の回動フレーム５３の他方の回動端５３ｆと第２の回動フレーム５９の他方の回動端５９ｆとを弾性的に連結している。
【００５２】
図７は、搬送路開閉ブロック３０を開いた状態にしたとき、それに連動して第１の回動フレーム５３の一方の回動端５３ａが回動軸６３を回動支点として矢印Ｅ方向に回動し、用紙搬送ローラ１６の押えローラ１６ｂを送りローラ１６ａから離れる方向に退避させることで、押えローラ１６ｂの弾性付勢力が解放された状態を示している。
この状態のとき、押えローラ１７ｂを支持した第２の回動フレーム５９の一方の回動端５９ａは、図６の矢印Ｆに示すように回動中心軸７１を回転中心として回動しており、押えローラ１７ｂの弾性付勢力も解放された状態になる。
【００５３】
図８は、搬送路開閉ブロック３０を閉じた状態に戻したとき、それに連動して第１の回動フレーム５３が元の状態に復帰した状態を示している。この時、搬送路開閉ブロック３０の係合部３２が係合する第１の回動フレーム５３のフレーム位置決め面５４は、第１の回動フレーム５３を元の状態に戻す方向の力が作用する力点であり、それによって第１の回動フレーム５３が回動軸６３を回動支点として回動する時に、ばね受け５３ｅがローラ付勢バネ５７を圧縮する作用点となる。
【００５４】
以上に説明した搬送路開閉機構７０によれば、搬送路開閉ブロック３０を開くことで、紙詰まりした被処理媒体９０の一部又は全部を、外部からアクセス可能な露呈状態にすることができる。
そして、紙詰まりした被処理媒体９０の一部が、その周辺の用紙搬送ローラ１７，１７に挟持されていても、搬送路開閉ブロック３０の開放操作によって紙詰まり部を露呈させた際に、搬送路開閉ブロック３０の開放動作に連動するローラ開閉機構５０によって、その周辺の用紙搬送ローラ１６，１７における各押えローラ１６ｂ，１７ｂが送りローラ１６ａ，１７ａから離間する方向に退避して、挟持力が解除又は低減される。
【００５５】
従って、紙詰まりを起こした被処理媒体９０は、その周辺の用紙搬送ローラ１６，１７からの挟持を解除された状態で露出した状態になり、小さな操作力でもＵ字形搬送路１２から簡単に取り外して紙詰まりを解消することができる。そこで、取り外し時に被処理媒体９０の一部に無理な挟持力が作用して被処理媒体９０を破損することもない。
【００５６】
また、紙詰まりの解消後に搬送路開閉ブロック３０を閉じた状態に戻すと、搬送路開閉ブロック３０の閉操作に連動するローラ開閉機構５０が、用紙搬送ローラ１６，１７における各押えローラ１６ｂ，１７ｂを送りローラ１６ａ，１７ａに向かって弾性付勢し、被処理媒体９０をこれら送りローラ１６ａ，１７ａと押えローラ１６ｂ，１７ｂとで挟持搬送可能な状態に用紙搬送ローラ１６，１７を戻す。
従って、紙詰まりの解消後の、Ｕ字形搬送路１２の復帰処理も簡単に済ませることができ、紙詰まりの発生から復旧までの所要時間を短縮することができる。
【００５７】
また、紙詰まり時に被処理媒体９０の挟持を解除させるために必要となる用紙搬送ローラ１６，１７の各押えローラ１６ｂ，１７ｂの送りローラ１６ａ，１７ａから離脱する方向への進退移動は、各押えローラ１６ｂ，１７ｂを取り付けた第１及び第２の回動フレーム５３，５９の回動動作によって達成される。
そこで、直線移動機構によって各押えローラを進退移動させる場合と比較すると、簡単な部品構成で高精度に各押えローラ１６ｂ，１７ｂの位置決め精度を維持でき、各押えローラ１６ｂ，１７ｂを送りローラ１６ａ，１７ａに向かって弾性付勢する第１及び第２のローラ付勢ばね５７，６１の押圧力調整も容易となる。
【００５８】
更に、本実施形態の搬送路開閉機構７０では、第１の回動フレーム５３の他方の回動端５３ｆと第２の回動フレーム５９の他方の回動端５９ｆとの間に第２のローラ付勢ばね６１を介装し、第１の回動フレーム５３の回動動作に連動して第２の回動フレーム５９を回動させると共に、該第２のローラ付勢ばね６１によって第２のローラ保持部材４１に保持された押えローラ１７ｂを用紙搬送ローラ１７の送りローラ１７ａに向かって弾性付勢する構成としたので、上述したように用紙搬送ローラ１６，１７がＵ字形用紙搬送路１２上の曲線部を挟んで配置されている場合に好適である。
【００５９】
即ち、搬送路開閉ブロック３０の開閉動作に連動して回動する第１の回動フレーム５３によって第２の回動フレーム５９を回動させることにより、搬送路開閉ブロック３０と離れており、開閉方向に対して弾性付勢方向がずれているにも関わらず、用紙搬送ローラ１７の押えローラ１７ｂを送りローラ１７ａから離間する方向に退避させて、挟持力を解除又は低減させることができる。
【００６０】
又、前記搬送路開閉ブロック３０は、下端部が第１の回動フレーム５３の回動中心軸８１と平行な回動軸である支持ピン３５を中心として本体フレーム３３に開閉自在に取り付けられており、閉じている時に第１の回動フレーム５３の一方の回動端５３ａ側に設けたフレーム位置決め面５４に係合し、開いた時に第１の回動フレーム５３から離れる係合部３２を備えている。
そこで、搬送路開閉ブロック３０は、一端の回動軸を中心として開閉自在であるので、熟練を要することなく容易にＵ字型搬送路１２の一部を開閉することができる。
【００６１】
又、第２の回動フレーム５９の回動中心軸７１が、第１の回動フレーム５３の回動中心軸８１に対して交差しているので、用紙搬送ローラ１６の押えローラ１６ｂと用紙搬送ローラ１７の押えローラ１７ｂとの弾性付勢方向や付勢位置が異なるにも関わらず、各送りローラ１６ａ，１７ａに対してそれぞれの押えローラ１６ｂ，１７ｂにより適正な弾性付勢力を作用させることができる。
【００６２】
更に、２つの曲線部により略Ｕ字形に形成されたＵ字型搬送路１２上の下流側の曲線部を挟んで２つの用紙搬送ローラ１６，１７が配置されており、搬送路開閉ブロック３０が用紙搬送ローラ１６と隣接する上流側に設けられているので、搬送路開閉ブロック３０を開いた時に露呈状態とならない用紙搬送ローラ１７の周辺に被処理媒体９０が紙詰まりした際にも、紙詰まりしている被処理媒体９０の後端部が用紙搬送ローラ１６の周辺に露呈状態となって外部からアクセス可能となるので、被処理媒体９０を容易に取り出すことができる。
【００６３】
又、上述した搬送路開閉機構７０を備えた本実施形態の情報処理装置１０によれば、Ｕ字型搬送路１２の途中で被処理媒体９０が詰まったときにも、詰まった被処理媒体９０を破損させることなく容易に取り出すことができると共に、紙詰まりの発生から復旧までの所要時間を短縮することができ、効率的に情報処理を行うことができる。
【００６４】
尚、紙詰まりの解除のために本発明のローラ開閉機構で押圧力を解除又は低減される押圧ローラ配列や数量等の構成は、上記実施形態の構成に限定されるものではない。
例えば、上記実施形態の場合、Ｕ字形搬送路１２の画像読取領域に配置した用紙搬送ローラ１６は、図４に示すように、送りローラ１６ａに対して上下方向（Ｕ字形搬送路１２の高さ方向）に三段の押えローラ１６ｂ，１６ｃを装備している。
【００６５】
そして、上記実施形態に係るローラ開閉機構５０の第１の回動フレーム５３は、最下段の押えローラ１６ｂのみを移動可能に保持しており、上位の二段の押えローラ１６ｃ，１６ｃは、固定フレーム８０に保持されている。
これは、上位の二段の押えローラ１６ｃ，１６ｃは、カード挿入口１３ａから直線状搬送路１３に挿入されたＩＤカード等の被処理媒体９１の搬送に用いられるものであり、最下段の押えローラ１６ｂのみが、小切手等の被処理媒体９０の搬送に用いられる為である。
【図面の簡単な説明】
【００６６】
【図１】本発明の一実施形態に係る搬送路開閉機構を備えた情報処理装置の外観斜視図である。
【図２】（ａ）は図１に示した情報処理装置の用紙搬送路及び用紙搬送路周辺に設けられる各部を模式的に表した平面図、（ｂ）は（ａ）のＡ−Ａ断面矢視図である。
【図３】開閉機構を閉じた状態を示す図１の矢印Ｃ方向から見た情報処理装置の後面斜視図である。
【図４】図３に示した開閉機構を開いた状態の情報処理装置の後面斜視図である。
【図５】図４に示したローラ開閉機構の部分分解斜視図である。
【図６】図４に示したローラ開閉機構の全体構成の要部斜視図である。
【図７】図５に示した第１の回動フレームが押えローラの押圧付勢を解除する方向に回動した状態の説明図である。
【図８】図５に示した第１の回動フレームが元の状態に復帰した状態の説明図である。
【図９】被処理媒体を搬送するＵ字形の搬送路を備えた従来の画像読取装置の外観斜視図である。
【符号の説明】
【００６７】
１０…情報処理装置、１２…Ｕ字形搬送路、１２ａ…内側搬送壁、１２ｂ外側搬送壁、１３…直線状搬送路、１３ａ…カード挿入口、１５…用紙搬送ローラ、１６…用紙搬送ローラ（第１の用紙搬送ローラ）、１６ａ…送りローラ、１６ｂ…押えローラ、１７…用紙搬送ローラ（第２の用紙搬送ローラ）、１７ａ…送りローラ、１７ｂ…押えローラ、１８…用紙搬送ローラ、２４…第１の画像読取部、２５…押付ローラ、２６…第２の画像読取部、２７…押付装置、２８…ＭＩＣＲヘッド（磁気文字読取ヘッド）、３０…搬送路開閉ブロック、３１…ブロック本体、３３…本体フレーム、５０…ローラ開閉機構、５３…第１の回動フレーム、５５…第１のローラ保持部材、５７…第１のローラ付勢ばね、５９…第２の回動フレーム、６１…第２のローラ付勢ばね、７０…搬送路開閉機構、７１…回動中心軸、８１…回動中心軸、９０…被処理媒体（用紙）
【図１】
2005324916.tif 000003
【図２】
2005324916.tif 000004
【図３】
2005324916.tif 000005
【図４】
2005324916.tif 000006
【図５】
2005324916.tif 000007
【図６】
2005324916.tif 000008
【図７】
2005324916.tif 000009
【図８】
2005324916.tif 000010
【図９】
2005324916.tif 000011